(57)【要約】 【課題】テレビ放送の視聴中において、例え、意に反してその視聴を中断したとしても、後でそれを視聴できるようにする。 【解決手段】ＣＰＵ１１は、テレビ放送受信部２３を起動して指定チャンネルの受信内容を出力する際にその受信内容の録画を開始し、この受信内容の出力中に指定チャンネルのユーザの視聴状況を判別し、指定チャンネルの受信内容の出力を終了する際に、ユーザの視聴状況に応じて録画内容の保存要否を制御する。例えば、未視聴箇所を特定する「視聴中断位置」が記録されていることを条件に当該録画内容を保存する。 【選択図】  図２
2008154126.tif 000002
【特許請求の範囲】
【請求項１】
テレビ放送を受信して出力するテレビ放送受信出力装置であって、
指定チャンネルの受信内容を出力する際に、その受信内容の録画を開始する録画手段と、
前記指定チャンネルの受信内容の出力中に、ユーザの視聴状況を判別する判別手段と、
前記指定チャンネルの受信内容の出力を終了する際に、前記判別手段によって判別されたユーザの視聴状況に応じて前記録画内容の保存要否を制御する保存制御手段と、
を具備したことを特徴とするテレビ放送受信出力装置。
【請求項２】
前記指定チャンネルの受信出力中において、そのチャンネルの受信内容のうちユーザ視聴されていない未視聴箇所を特定する特定手段を設け、
前記判別手段は、前記未視聴箇所の有無をユーザの視聴状況として判別し、
前記保存制御手段は、前記録画内容を保存する際に、前記未視聴箇所が有ることを条件に当該録画内容を保存する、
ようにしたことを特徴とする請求項１記載のテレビ放送受信出力装置。
【請求項３】
前記保存制御手段は、前記録画内容を保存する際に、未視聴箇所が有ることによる保存である旨を報知する、
ようにしたことを特徴とする請求項２記載のテレビ放送受信出力装置。
【請求項４】
前記録画内容に対応付けて前記未視聴箇所が識別可能に保存されている状態において、この録画内容を再生出力する際に、前記未視聴箇所とそれ以外の視聴済み箇所とを識別してその再生の仕方を制御する、
ようにしたことを特徴とする請求項２記載のテレビ放送受信出力装置。
【請求項５】
前記録画内容を再生出力する際に、前記視聴済み箇所をスキップする第１の再生方法と、視聴済み箇所を早送りして再生する第２の再生方法を任意に選択可能とした、
ことを特徴とする請求項４記載のテレビ放送受信出力装置。
【請求項６】
前記指定チャンネルの受信出力中において、そのチャンネルの受信内容のうちユーザ視聴されていない未視聴箇所を特定する特定手段を設け、
前記判別手段は、前記未視聴箇所の有無をユーザの視聴状況として判別し、
前記保存制御手段は、前記録画内容を保存する際に、前記未視聴箇所が有れば、その保存要否を問い合わせる確認報知を行い、それに応答して保存要求がユーザ指定されたことを条件に当該録画内容を保存する、
ようにしたことを特徴とする請求項１記載のテレビ放送受信出力装置。
【請求項７】
人体を感知する人体検出手段を設け、
この人体検出手段によって得られた検出結果に基づいて前記判別手段は、ユーザの視聴状況を判別する、
ようにしたことを特徴とする請求項１記載のテレビ放送受信出力装置。
【請求項８】
装置本体に表示部を開閉可能に取り付けたテレビ放送受信出力装置であって、
表示部の開閉状態を検出する開閉検出手段を設け、
この開閉検出手段による検出結果に基づいて前記判別手段は、ユーザの視聴状況を判別する、
ようにしたことを特徴とする請求項１記載のテレビ放送受信出力装置。
【請求項９】
ユーザに対面してユーザ撮影を行う撮影手段を設け、
この撮影手段によって撮影されたユーザ画像に基づいて前記判別手段は、ユーザの視聴状況を判別する、
ようにしたことを特徴とする請求項１記載のテレビ放送受信出力装置。
【請求項１０】
コンピュータに対して、
指定チャンネルの受信内容を出力する際に、その受信内容の録画を開始する機能と、
前記指定チャンネルの受信内容の出力中に、ユーザの視聴状況を判別する機能と、
前記指定チャンネルの受信内容の出力を終了する際に、前記判別されたユーザの視聴状況に応じて前記録画内容の保存要否を制御する機能と、
を実現させるためのプログラム。
【発明の詳細な説明】
【技術分野】
【０００１】
この発明は、テレビ放送を受信して出力するテレビ放送受信出力装置及びプログラムに関する。
【背景技術】
【０００２】
一般に、テレビ放送を受信して出力している受信出力中に、ユーザが居眠りをしてしまったり、急用によって別の場所に移動してしまったりすることがある。このようにテレビ放送の視聴中にその視聴を一時中断することがあるため、従来では、ユーザをカメラ撮影することによってユーザが画面を見ているか否かを調べ、見ていなければ、表示部をオフする技術が知られている（特許文献１参照）。
【特許文献１】特開平１１−２８８２５９号公報
【発明の開示】
【発明が解決しようとする課題】
【０００３】
しかしながら、上述の先行技術では、ユーザが画面を見ていない場合に、表示部の電源を切ることによって省電力化を図ることができたとしても、テレビ視聴の一時中断時には、その一部を見逃してしまうことになる。
【０００４】
この発明の課題は、テレビ放送の視聴中において、例え、意に反してその視聴を中断したとしても、後でそれを視聴できるようにすることである。
【課題を解決するための手段】
【０００５】
請求項１記載の発明は、テレビ放送を受信して出力するテレビ放送受信出力装置であって、指定チャンネルの受信内容を出力する際に、その受信内容の録画を開始する録画手段と、前記指定チャンネルの受信内容の出力中に、ユーザの視聴状況を判別する判別手段と、前記指定チャンネルの受信内容の出力を終了する際に、前記判別手段によって判別されたユーザの視聴状況に応じて前記録画内容の保存要否を制御する保存制御手段とを具備したことを特徴とする。
更に、コンピュータに対して、上述した請求項１記載の発明に示した主要機能を実現させるためのプログラムを提供する（請求項１０記載の発明）。
【０００６】
上述した請求項１記載の発明は、次のようなものであってもよい。
前記指定チャンネルの受信出力中において、そのチャンネルの受信内容のうちユーザ視聴されていない未視聴箇所を特定する特定手段を設け、前記判別手段は、前記未視聴箇所の有無をユーザの視聴状況として判別し、前記保存制御手段は、前記録画内容を保存する際に、前記未視聴箇所が有ることを条件に当該録画内容を保存する（請求項２記載の発明）。
【０００７】
この請求項２記載の発明において、前記保存制御手段は、前記録画内容を保存する際に、未視聴箇所が有ることによる保存である旨を報知するようにしてもよい（請求項３記載の発明）。また、前記録画内容に対応付けて前記未視聴箇所が識別可能に保存されている状態において、この録画内容を再生出力する際に、前記未視聴箇所とそれ以外の視聴済み箇所とを識別してその再生の仕方を制御するようにしてもよい（請求項４記載の発明）。この請求項４記載の発明において、前記録画内容を再生出力する際に、前記視聴済み箇所をスキップする第１の再生方法と視聴済み箇所を早送りして再生する第２の再生方法を任意に選択可能としてもよい（請求項５記載の発明）。
【０００８】
前記指定チャンネルの受信出力中において、そのチャンネルの受信内容のうちユーザ視聴されていない未視聴箇所を特定する特定手段を設け、前記判別手段は、前記未視聴箇所の有無をユーザの視聴状況として判別し、前記保存制御手段は、前記録画内容を保存する際に、未視聴箇所が有れば、その保存要否を問い合わせる確認報知を行い、それに応答して保存要求がユーザ指定されたことを条件に当該録画内容を保存する（請求項６記載の発明）。
【０００９】
人体を感知する人体検出手段を設け、この人体検出手段によって得られた検出結果に基づいて前記判別手段は、ユーザの視聴状況を判別する（請求項７記載の発明）。
【００１０】
装置本体に表示部を開閉可能に取り付けたテレビ放送受信出力装置であって、表示部の開閉状態を検出する開閉検出手段を設け、この開閉検出手段による検出結果に基づいて前記判別手段は、ユーザの視聴状況を判別する（請求項８記載の発明）。
【００１１】
ユーザに対面してユーザ撮影を行う撮影手段を設け、この撮影手段によって撮影されたユーザ画像に基づいて前記判別手段は、ユーザの視聴状況を判別する（請求項９記載の発明）。
【発明の効果】
【００１２】
この発明は、テレビ放送の視聴中にその視聴を中断して見逃してしまったとしても、その中断部分を後で視聴することができる。
【発明を実施するための最良の形態】
【００１３】
以下、図１〜図７を参照して本発明の実施例を説明する。
この実施例は、テレビ放送受信出力装置としてテレビ放送受信機能付きの携帯電話装置に適用した場合を例示したもので、図１は、デジタルテレビ放送受信機能付きの携帯電話装置１を示した外観斜視図である。
この携帯電話装置１は、例えば、２つの筐体（操作部筐体２、表示部筐体３）が開閉可能に取り付けられた折り畳み自在なもので、操作部筐体２に対して表示部筐体３を開いた状態（オープンスタイル）では、操作部筐体２に配置されているキーボード４と表示部筐体３に配置されているメイン画面５が露出された状態となり、操作部筐体２に対して表示部筐体３を閉じた状態（クローズスタイル）では、キーボード４、メイン画面５が覆い隠された状態となる。
【００１４】
図２は、デジタルテレビ放送受信機能付きの携帯電話装置１の基本的な構成要素を示したブロック図である。
携帯電話装置１は、電話機能（通話機能）、メール機能、インターネット接続機能（Ｗｅｂアクセス機能）のほか、テレビ放送受信機能、テレビ放送録画機能、映像再生機能などが備えられている。ＣＰＵ１１は、記憶部１２内の各種のプログラムに応じてこの携帯電話装置の全体動作を制御する中核的な中央演算処理装置である。記憶部１２は、内部メモリであり、プログラム領域とデータ領域とを有し、このプログラム領域には、後述する図３〜６に示す動作手順に応じて本実施例を実現するためのプログラムが格納されている。記録メディア１３は、着脱自在な可搬型メモリで、例えば、ＳＤカード、ＩＣカードなどによって構成され、映画コンテンツなどを外部供給する場合にも使用される。メモリ１４は、ワーク領域を有する内部メモリであり、必要に応じてメモリ１４内の各種のデータは、記憶部１２にセーブされる。
【００１５】
電話通信部１５は、無線部を構成するアンテナに接続された送受信部（ベースバンド部）の受信側から信号を取り込んで受信ベースバンド信号に復調したのちに、音響制御部１６を介して受話スピーカ１７から音声出力させる。また、電話通信部１５は、送話マイク１８から入力された音声データを音響制御部１６から取り込み、送信ベースバンド信号に符号化したのちに送受信部の送信側に与えられてアンテナから発信出力させる。一方、インターネット接続機能などによって電話通信部１５を介して受信取得した映画コンテンツなどは、表示制御部１９を介してメイン表示部２０に与えられて表示出力される。
【００１６】
メイン表示部２０は、表示部筐体３の表面側に配置されたメイン画面５を有し、テレビ映像などを高品位に表示可能な液晶表示ディスプレイあるいは有機ＥＬディスプレイなどである。サブ表示部２１は、表示部筐体３の背面側（裏面側）に配置されたサブ画面（図示せず）を有し、現在日時、メッセージ、アイコンなどを表示する液晶表示ディスプレイあるいは有機ＥＬディスプレイなどである。キー操作部２２は、ダイヤル入力、文字入力、コマンド入力などを行うもので、テレビ放送受信機能をオン／オフさせるテレビ開始／終了キー、録画再生開始／終了キーなどが備えられており、ＣＰＵ１１は、キー操作部２２からのキー入力信号に応じた処理を実行する。
【００１７】
テレビ放送受信部２３は、携帯電話などの携帯受信機向けの地上波デジタルテレビ放送を受信するもので、テレビ映像及び音声情報以外にも電子番組表(ＥＰＧ)なども含めて受信可能である。テレビ放送受信部２３は、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。テレビ映像データ及び文字データは、メイン表示部２０から表示出力され、また、テレビ音声データは、サウンドスピーカ２４から出力される。
【００１８】
スタイル検出部２５は、操作部筐体２と表示部筐体３との開閉状態を検出する磁気センサあるいはマイクロスイッチなどであり、その開閉に応じてスタイル検出信号を出力してＣＰＵ１１に与える。導体センサ２６は、装置本体を手で把持した際に、人体に接触する領域、例えば、操作部筐体２の両側部などに貼り付けられた人体接触センサである。このスタイル検出部２５、導体センサ２６を使用し、テレビ放送を視聴中であるか否かをユーザの視聴状況として判別するようにしている。すなわち、テレビ放送の受信出力中に、ＣＰＵ１１は、表示部筐体３の開閉状態（オープンスタイル／クローズスタイル）に応じて視聴中か否かを判別し、また、装置本体を人体が接触しているか否かに応じて視聴中か否かを判別するようにしている。
【００１９】
ＣＰＵ１１は、任意に指定されたチャンネルの受信内容を出力する際に、その受信内容をとりあえず録画する仮録画を開始して、メモリ１４のワーク域に逐次録画しておくと共に、スタイル検出部２５、導体センサ２６からの検出信号に基づいてユーザの視聴状況（テレビ視聴中か否か）を判別する。そして、指定チャンネルの出力の終了時（チャンネル切り替え時あるいはテレビ放送の受信終了時）に、それまでの視聴状況に応じて当該録画内容を保存するか否かの保存要否を制御するようにしている。すなわち、テレビ放送の受信出力中に、その視聴が一時中断された場合（当該録画内容にユーザ視聴されていない未視聴箇所が存在している場合）には、この録画内容に基づいて録画ファイルを生成して記憶部１２あるいは外部記録メディア１３に録画保存するようにしているが、未視聴箇所が無ければ、その録画内容を破棄するようにしている。
【００２０】
次に、この実施例における携帯電話装置の動作概念を図３〜図６に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
なお、図３〜図６は、携帯電話装置の全体動作のうち、本実施例の特徴部分の動作概要を示したフローチャートであり、この図３及び図４、図５及び図６のフローから抜けた際には、全体動作のフロー（図示省略）に戻る。
【００２１】
図３及び図４は、テレビ放送受信開始がユーザ指示された際に実行開始される動作を示したフローチャートである。
先ず、ＣＰＵ１１は、操作部筐体２に対して表示部筐体３が開いているオープンスタイルにおいて、上述したテレビ開始／終了キーの操作によって受信開始が指示されると共に、任意のチャンネルが指定されると、テレビ放送受信部２３を起動して指定チャンネルの放送内容の受信を開始して（図３のステップＡ１）、このテレビ映像をメイン表示部２０に表示させると共に、テレビ音声をサウンドスピーカ２４から出力させるほか（ステップＡ２）、指定チャンネルの受信内容をとりあえず録画する仮録画を開始して、メモリ１４のワーク域に逐次録画する（ステップＡ３）。
【００２２】
テレビ放送の受信出力中（仮録画中）において、ＣＰＵ１１は、何らかのキー操作が行われると（ステップＡ４）、チャンネル切り替え操作が行われたか（ステップＡ５）、テレビ受信終了を指示する終了操作が行われたかを調べ（ステップＡ６）、それ以外の操作であれば（ステップＡ６でＮＯ）、その操作キー対応の処理として、例えば、音量調整などの処理を実行したのち（ステップＡ７）、上述のステップＡ４に戻ってキー操作有無をチェックする。
【００２３】
いま、受信出力中（仮録画中）において、何のキー操作も行われていないタイミングでは（ステップＡ４でＮＯ）、導体センサ２６をアクセスし、その検出信号に基づいてユーザが装置本体を把持しているか否か、言い換えれば、人体の接触有無を調べ（ステップＡ８）、接触していなければ（ステップＡ８でＮＯ）、装置本体が机などに置かれていて、ユーザがテレビ放送を視聴していない可能性が高いと判断し、視聴を継続するか否かを問い合わせるための警告メッセージを表示させる（ステップＡ９）。すなわち、視聴していない可能性が高い場合には、その受信内容の出力停止に先立って、以降も継続して視聴するか否かを問い合わせるための確認報知を行う。
【００２４】
なお、上述のステップＡ８でＮＯと判断された場合には、人体が接触していない非接触時間が所定時間（例えば、５秒）を経過しことを条件に、視聴を継続するか否かを問い合わせるための警告メッセージを表示するようにしてもよい。この場合、ステップＡ８でＮＯと判断された場合、非接触時間の計時を開始するタイマの計時動作をスタートさせ、この計時時間が、この所定時間に達したかを判別し、所定時間未満の場合には、上述のステップＡ４に戻るが、所定時間に達した際に、ステップＡ９に移り、警告メッセージを表示するようにすればよい。
【００２５】
ここで、視聴継続を指示するＹＥＳ操作が行われると（ステップＡ１０）、それ以降の視聴を可能とするために上述のステップＡ４に戻るが、ＹＥＳ操作が行われなければ（ステップＡ１０でＮＯ）、テレビ視聴を一時中断しているものと判断し、現在の録画位置を「視聴中断位置」としてメモリ１４に識別可能に記録する（ステップＡ１１）。すなわち、録画内容に対応付けて、視聴中断を示す情報と共にその中断位置を示す情報を記録する。そして、受信内容の出力を停止するが（ステップＡ１２）、この出力停止後においても、上述の仮録画をそのまま継続実行する。
【００２６】
この状態において、ＣＰＵ１１は、導体センサ２６をアクセスし、人体の接触有無を調べ、接触されるまで待ち状態となる（ステップＡ１３）。ここで、接触有りを検出すると（ステップＡ１３でＹＥＳ）、テレビ視聴を再開する場合であると判断し、放送受信出力を再開すると共に（ステップＡ１４）、録画内容に対応付けて現在の録画位置を「視聴再開位置」としてメモリ１４に識別可能に記録したのち（ステップＡ１５）、上述のステップＡ４に戻ってキー操作有無をチェックする。
【００２７】
一方、受信出力中（仮録画中）において、導体センサ２６によって人体接触有りが検出されると（ステップＡ８でＹＥＳ）、スタイル検出部２５をアクセスし、クローズ操作の有無を調べる（ステップＡ１６）。いま、オープンスタイルからクローズスタイルに変更されると、テレビ視聴を一時中断する場合であると判断して、その録画内容に対応付けて現在の録画位置を「視聴中断位置」としてメモリ１４に識別可能に記録する（ステップＡ１７）。そして、上述のように仮録画を継続しながら受信内容の出力を停止する（ステップＡ１８）。
【００２８】
この状態でＣＰＵ１１は、スタイル検出部２５をアクセスし、クローズスタイルからオープンスタイルされるまで待ち状態となる（ステップＡ１９）。ここで、オープンスタイル操作を検出すると（ステップＡ１９でＹＥＳ）、テレビ視聴を再開する場合であると判断し、受信内容の出力を再開すると共に（ステップＡ１４）、その録画内容に対応付けて現在の録画位置を「視聴再開位置」としてメモリ１４に識別可能に記録する（ステップＡ１５）。
【００２９】
他方、何らかのキーが操作された場合に（ステップＡ４でＹＥＳ）、それがチャンネル切り替え操作（ステップＡ５でＹＥＳ）あるいはテレビ受信終了を指示する終了操作であれば（ステップＡ６でＹＥＳ）、図４のフローに移り、この時点で録画動作を終了させる（ステップＡ２０）。そして、この録画内容に対応付けて「視聴中断位置」が記憶されているかを調べ（ステップＡ２１）、それが１つも記憶されていなければ、メモリ１４に仮録画された内容を消去して今回の録画内容を破棄する（ステップＡ２２）。また、「視聴中断位置」が記憶されていれば（ステップＡ２１でＹＥＳ）、「自動保存モード」に設定されているか否かを調べる（ステップＡ２３）。
【００３０】
この「自動保存モード」は、ユーザの確認を得なくても録画内容を自動的に保存することを示し、「自動保存モード」に設定されていれば、未視聴箇所が有ることによる保存である旨を報知するために、未視聴箇所を含む録画内容を保存することを案内する確認メッセージを表示させる（ステップＡ２４）。そして、今回の録画内容に基づいて録画ファイルを生成して記憶部１２あるいは外部記録メディア１３に録画保存すると共に（ステップＡ２７）、それに未視聴箇所が含まれていることを示す「未視聴フラグ」を当該保存ファイルに付加しておく（ステップＡ２８）。
【００３１】
また、「自動保存モード」が解除されていれば（ステップＡ２３でＮＯ）、未視聴箇所を含む録画内容を保存するか否かを問い合わせるための確認メッセージを表示させる（ステップＡ２４）。この問い合わせメッセージが表示されている状態において、ユーザ操作によって保存不要が指示されると（ステップＡ２５でＮＯ）、上述のステップＡ２２に移り、今回の録画内容を破棄するが、ユーザから保存が要求されると（ステップＡ２５でＹＥＳ）、今回の録画内容に基づいて録画ファイルを生成して記憶部１２あるいは外部記録メディア１３に録画保存すると共に（ステップＡ２７）、それに未視聴箇所が含まれていることを示す「未視聴フラグ」を当該保存ファイルに付加しておく（ステップＡ２８）。
【００３２】
そして、今回の操作は、チャンネル切り替え操作であったか、終了操作であったかを調べ（ステップＡ２９）、チャンネル切り替え操作であれば、図３のステップＡ１に戻って新たなチャンネルの放送内容を受信取得するが、終了操作であれば（ステップＡ２９でＮＯ）、テレビ放送の受信終了となる。
【００３３】
図５及び図６は、録画ファイルの再生指示に応答して実行開始される動作を示したフローチャートである。
先ず、ＣＰＵ１１は、記憶部１２あるいは外部記録メディア１３に保存されている録画ファイル毎にそのファイル名を読み出して一覧表示させる（ステップＢ１）。この一覧画面から任意のファイルが選択指定されると（ステップＢ２）、この選択ファイルに上述の「未視聴フラグ」が付加されているかを調べ（ステップＢ３）、「未視聴フラグ」が付加されていなければ、図６のフローに移り、この録画ファイルの内容をその先頭位置から逐次読み出して通常の速度で再生出力する通常の再生動作を開始する（ステップＢ２６）。
【００３４】
このような通常再生中において、ＣＰＵ１１は、何らかのキー操作が行われたか（ステップＢ２７）、録画内容をその終了位置まで全て再生し終わったかを調べ（ステップＢ２８）、終了位置に達した際には、この時点で再生動作の終了となり、また、何らかのキー操作が行われ、それが再生終了を指示する終了操作であれば（ステップＢ２９でＹＥＳ）、この時点で再生動作の終了となる。この終了操作以外の操作であれば（ステップＢ２９でＮＯ）、操作対応の処理として、例えば、ボリューム調整などの処理を実行する（ステップＢ３０）。
【００３５】
一方、一覧画面から任意に選択されたファイルに「未視聴フラグ」が付加されていれば（ステップＢ３でＹＥＳ）、再生形式メニュー画面を表示させる（ステップＢ４）。図７は、再生形式メニュー画面を示した図で、このメニュー画面には、「１：通常再生」、「２：未視聴箇所のみの再生（スキップ再生）」、「３：視聴箇所早送り再生」の項目が一覧表示される。この一覧画面から任意のメニュー項目が選択されると（ステップＢ５）、再生形式として「２：スキップ再生」の項目が選択されたかを調べる（ステップＢ６）。
【００３６】
いま、「２：スキップ再生」が選択されたときには（ステップＢ６でＹＥＳ）、録画ファイルの先頭位置から「視聴中断位置」をサーチした結果（ステップＢ７）、それが１つも無ければ（ステップＢ８でＮＯ）、この時点でスキップ再生の終了となって（ステップＢ１３）、上述の一覧表示に戻るが（ステップＢ１）、１つても「視聴中断位置」が付加されていれば（ステップＢ８でＹＥＳ）、この「視聴中断位置」までの録画内容をスキップして当該中断位置から再生を開始させる（ステップＢ９）。このスキップ再生中において、何らかのキー操作が行われたか（ステップＢ１０）、再生位置が「視聴再開位置」に達したかを調べる（ステップＢ１４）。
【００３７】
ここで、再生終了を指示する終了操作が行われた場合には（ステップＢ１１でＹＥＳ）、この時点でスキップ再生の終了となるが（ステップＢ１３）、その他の操作であれば（ステップＢ１１でＮＯ）、操作対応の処理として、例えば、ボリューム調整などの処理を実行する（ステップＢ１２）。また、再生位置が「視聴再開位置」に達したことを検出した場合には（ステップＢ１４でＹＥＳ）、再生動作を一時停止したのち（ステップＢ１５）、上述のステップＢ７に戻り、次の「視聴中断位置」を検索し、以下、同様に、「視聴中断位置」から「視聴再開位置」までの未視聴箇所を特定しながら未視聴箇所を順次再生する動作を繰り返す。
【００３８】
他方、一覧画面の中から「３：視聴箇所早送り再生」が選択された場合には（図５のステップＢ６でＮＯ、図６のステップＢ１６でＹＥＳ）、録画ファイルの先頭位置から早送り再生を開始する（ステップＢ１７）。この早送り再生は、上述したステップＢ２６での通常再生に比べて２倍の速度で行うようにしているが、その再生速度は任意である。この再生中において、ＣＰＵ１１は、何らかのキー操作が行われたか（ステップＢ１８）、再生位置が「視聴中断位置」あるいは「視聴再開位置」に達したかを調べる（ステップＢ１９）。いま、何らかのキー操作が行われ、それが再生終了を指示する終了操作であれば（ステップＢ２３でＹＥＳ）、この時点で再生動作の終了となるが、その他の操作であれば（ステップＢ２３でＮＯ）、操作対応の処理として、例えば、ボリューム調整などの処理を実行する（ステップＢ２４）。
【００３９】
また、再生位置が「視聴中断位置」あるいは「視聴再開位置」に達した場合には（ステップＢ１９でＹＥＳ）、「視聴中断位置」に達した場合かを調べ（ステップＢ２０）、「視聴中断位置」に達した場合には、上述した通常再生を開始し（ステップＢ２１）、「視聴再開位置」に達した場合には、早送り再生を開始する（ステップＢ２２）。すなわち、「視聴中断位置」から「視聴再開位置」までの未視聴箇所では、通常の速度で再生を行い、それ以外の視聴済み箇所では早送り再生を行う。そして、ステップＢ１８に戻り、以下、終了操作が行われるまで（ステップＢ２３）あるいは録画内容をその終了位置まで全て再生し終わるまで（ステップＢ２５）、上述の動作が繰り返される。
【００４０】
以上のように、この実施例においてＣＰＵ１１は、テレビ放送受信部２３を起動して指定チャンネルの受信内容を出力する際にその受信内容の録画を開始し、この受信内容の出力中に指定チャンネルのユーザの視聴状況を判別し、指定チャンネルの受信内容の出力を終了する際に、ユーザの視聴状況に応じて録画内容の保存要否を制御することにより、テレビ放送の視聴中にその視聴を中断して見逃してしまったとしても、その中断部分を後で視聴することができる。
【００４１】
指定チャンネルの受信録画中に、ＣＰＵ１１は、未視聴箇所を特定する「視聴中断位置」をその録画内容に対応付けて記録しておき、この録画内容を保存する際に、「視聴中断位置」が記録されていることを条件に当該録画内容を保存することにより、未視聴箇所を含む録画内容を確実に保存することができる。この場合、「視聴中断位置」が記録されていなければ（未視聴箇所が無ければ）、その録画内容を破棄することにより、無駄な録画保存を回避することができる。
【００４２】
ここで、ＣＰＵ１１は、録画内容を保存する際に、未視聴箇所が有ることによる保存である旨を報知するために、未視聴箇所を含む録画内容を保存することを案内する確認メッセージを表示させることにより、即座の再生でその箇所を視聴することが可能となる。
【００４３】
録画内容に対応付けて未視聴箇所を特定する「視聴中断位置」、「視聴再開位置」が識別可能に保存されている状態において、この録画内容を再生出力する際に、この未視聴箇所とそれ以外の視聴済み箇所とを識別してその再生の仕方を制御することにより、その再生時に未視聴箇所か視聴済み箇所かを知ることができる。
【００４４】
この場合、録画内容を再生出力する際に、再生形式メニュー画面を表示させ、「１：通常再生」、「２：スキップ再生」、「３：視聴箇所早送り再生」の項目のうち、任意のメニュー項目を任意に選択可能とすることにより、ユーザの要望に応じた再生が可能となる。例えば、未視聴箇所だけの素早い再生を望むなら「２：スキップ再生」を選択すればよく、全体概要を把握しながら未視聴箇所の再生を望むなら「３：視聴箇所早送り再生」を選択すればよい。
【００４５】
ＣＰＵ１１は、録画内容を保存する際に、未視聴箇所が有れば、当該録画内容を保存するか否かを問い合わせるための確認メッセージを表示させ、それに応答して保存要求がユーザ指定されたことを条件に当該録画内容を保存することにより、ユーザの意向を考慮した保存が可能となる。
【００４６】
操作部筐体２の両側部などに貼り付けた導体センサ２６によって人体接触有無を検出し、この検出結果に基づいて視聴中か否かを判別することにより、テレビ放送受信出力中に装置本体を手で把持していれば、視聴中であると判断することができ、把持していなければ、視聴していないと判断することができ、ユーザの視聴状況を確実に得ることが可能となる。
【００４７】
スタイル検出部２５によって装置本体のスタイルを検出し、テレビ放送受信出力中にオープンスタイルであれば、視聴中であると判断することができ、クローズスタイルであれば、視聴していないと判断することができ、ユーザの視聴状況を確実に得ることが可能となる。
【００４８】
なお、上述した実施例においては、スタイル検出部２５、導体センサ２６によってユーザが視聴中であるか否かを判別するようにしたが、表示部筐体３の表面側に配置され、自己の顔などを撮影するテレビ電話用のインカメラを使用し、このインカメラによって撮影されたユーザ画像を解析することによって目の開閉状態からユーザが視聴中か否か（眠っているか否か）を判別するようにしてもよい。これによって、ユーザの視聴状況を確実に把握することが可能となる。
【００４９】
また、ユーザ画像を解析することにより目の視線方向を認識し、視線がテレビ画面の方向から外れているか否かに応じてユーザが視聴中か否かを判別するようにしてもよい。また、予めユーザの顔を撮影した画像を登録しておき、この登録画像とインカメラによって撮影された撮影画像とを比較することによってユーザが存在しているか否かに基づいてユーザが視聴中か否かを判別するようにしてもよい。
【００５０】
また、上述した実施例においては、指定チャンネルの受信出力中において、未視聴箇所を特定する「視聴中断位置」と「視聴再開位置」を録画内容に対応付けて記録するようにしたが、ユーザ視聴された視聴済み箇所を特定するために「視聴開始位置」と「視聴終了位置」とを録画内容に対応付けて記録しておき、この視聴済み箇所以外の箇所を未視聴箇所として特定するようにしてもよい。また、上述した実施例においては、「視聴中断位置」と「視聴再開位置」との間を未視聴箇所としたが、「視聴中断位置」よりも前の位置（例えば、１０秒前の位置）と「視聴再開位置」よりも後ろの位置（例えば、１０秒後の位置）との間を未視聴箇所としてもよい。
【００５１】
また、上述した実施例においては、人体の接触状態を検出する導体センサ２６を設けたが、体温センサを設けたり、人体が近くにいることを検出する接近センサ（例えば、赤外線センサなど）を設けたりしてもよい。また、テレビ放送の受信出力中に、人体が所定時間（例えば、１０秒間）接触していないことを検出した際に、ユーザが視聴していないと判別するようにしてもよい。
【００５２】
また、上述した実施例においては、チャンネル切り替え、あるいは受信終了が指示されるまで受信内容を録画して、この録画内容を全て保存するようにしたが、録画内容から未視聴箇所のみ抽出して保存するようにしてもよい。
また、「視聴中断位置」で録画を開始し「視聴再開位置」で録画を停止することによって未視聴箇所のみを録画するようにしてもよい。この場合、「視聴中断位置」よりも前の位置（例えば、１０秒前の位置）と「視聴再開位置」よりも後ろの位置（例えば、１０秒後の位置）との間を未視聴箇所としてもよい。
【００５３】
すなわち、上書き方式に従って所定時間分（例えば、１０秒分）の録画をサイクリックに実行可能なリンクバッファを設け、「視聴中断位置」での録画開始に先立って、リンクバッファの内容を読み出してメモリ１４に転送記憶させたのち録画を開始するようにすれば、「視聴中断位置」よりも前の録画が可能となる。また、「視聴再開位置」で録画を停止せずに、所定時間（例えば、１０秒）遅れて停止するようにすれば、「視聴再開位置」よりも後の録画が可能となる。
【００５４】
その他、テレビ放送受信機能付の携帯電話装置に限らず、例えば、テレビ放送受信機能付のＰＤＡ・電子カメラ・電子腕時計・音楽再生機などの携帯端末装置であっても同様に適用可能である。更に、携帯端末装置に限らず、据置き型のテレビ放送受信機能付のビデオ装置、テレビ受信機などであってもよい。
【図面の簡単な説明】
【００５５】
【図１】テレビ放送受信出力装置として適用したデジタルテレビ放送受信機能付きの携帯電話装置１を示した外観斜視図。
【図２】デジタルテレビ放送受信機能付きの携帯電話装置１の基本的な構成要素を示したブロック図。
【図３】テレビ放送受信開始がユーザ指示された際に実行開始される動作を示したフローチャート。
【図４】図３に続くフローチャート。
【図５】録画ファイルの再生指示に応答して実行開始される動作を示したフローチャート。
【図６】図５に続く、フローチャート。
【図７】再生形式メニュー画面を示した図。
【符号の説明】
【００５６】
１  携帯電話装置
２  操作部筐体
３  表示部筐体
４  キーボード
５  メイン画面
１１  ＣＰＵ
１２  記憶部
１５  電話通信部
２０  メイン表示部
２３  テレビ放送受信部
２４  サウンドスピーカ
２５  スタイル検出部
２６  導体センサ
【図１】
2008154126.tif 000003
【図２】
2008154126.tif 000004
【図３】
2008154126.tif 000005
【図４】
2008154126.tif 000006
【図５】
2008154126.tif 000007
【図６】
2008154126.tif 000008
【図７】
2008154126.tif 000009